(57)【要約】【課題】本発明は、水溜め部に水が残りにくいトイレ空間用脱臭装置を提供する。【解決手段】トイレ空間用脱臭装置は、吸気口から空気を吸気するファン装置と、排水口を形成する排水部と、吸気口と排気口とを連通し空気を流通させる脱臭風路中に設けられ、脱臭風路中で水を溜めることが可能な水溜め部であって、排水口に向かう第１の方向に沿って下り傾斜した底面を有する水溜め部と、水溜め部へ給水する給水部と、水溜め部に溜めた水を第１の方向に交差する方向に誘引しつつ、排水口に排水する誘引排水手段と、を備えている。【選択図】図３
2020063622.tif 000002
【特許請求の範囲】
【請求項１】
吸気口を形成する吸気部と、
排気口を形成する排気部と、
前記吸気口から空気を吸気するファン装置と、
排水口を形成する排水部と、
前記吸気口と前記排気口とを連通し空気を流通させる脱臭風路中に設けられ、前記脱臭風路中で水を溜めることが可能な水溜め部であって、前記排水口に向かう第１の方向に沿って下り傾斜した底面を有する水溜め部と、
前記水溜め部へ給水する給水部と、
前記水溜め部に溜めた水を前記第１の方向に交差する方向に誘引しつつ、前記排水口に排水する誘引排水手段と、
を備えたトイレ空間用脱臭装置。
【請求項２】
前記誘引排水手段は、前記水溜め部の前記底面にて上下方向に延びる壁面である請求項１記載のトイレ空間用脱臭装置。
【請求項３】
前記壁面は、前記第１の方向に延びる請求項２記載のトイレ空間用脱臭装置。
【請求項４】
前記水溜め部の前記底面は、前記壁面に向かって下り傾斜している請求項３記載のトイレ空間用脱臭装置。
【請求項５】
前記水溜め部に負圧を形成する負圧形成手段と、
前記負圧形成手段の駆動を制御する制御部と、
をさらに備え、
前記制御部は、前記負圧形成手段を駆動させ、この駆動により形成される負圧によって前記水溜め部に流れ込む空気を、水に押し当てることで、前記給水部から給水される水を前記水溜め部に溜め、
前記負圧形成手段の停止によって、前記水溜め部に溜めた水を前記排水口から排水させ、
前記壁面は、前記水溜め部の前記底面から上方へ突出するリブを形成する請求項３又は４に記載のトイレ空間用脱臭装置。
【請求項６】
前記誘引排水手段は、前記排水口の底面側の一部に、前記水溜め部の前記底面の前記第１の方向に沿った下り傾斜とは逆勾配の面を形成する請求項２〜５のいずれか１つに記載のトイレ空間用脱臭装置。
【発明の詳細な説明】
【技術分野】
【０００１】
本発明は、トイレ空間用脱臭装置に関する。
【背景技術】
【０００２】
トイレ空間において脱臭を行う脱臭装置として、空気を水に接触させることによって、空気に含まれる臭気成分を水に溶解させるものが知られている（例えば、特許文献１）。特許文献１に記載の脱臭装置は、温水洗浄便座に設けられ、ファン装置によって気体流路に吸入された空気に水を噴出する水噴出装置を備える。気体に含まれる臭気および浮遊物が付着した水は、貯水部に落下した後に貯水部から下り傾斜の水導出部に導出され、または水導出部に落下して、水導出部から便鉢部内へと排水される。
【先行技術文献】
【特許文献】
【０００３】
【特許文献１】特開２０１７−２２３０３０号公報
【発明の概要】
【発明が解決しようとする課題】
【０００４】
特許文献１のような排水構造において、排水される水の状態や量、速度によっては排水が十分になされず、水導出部に水が残る可能性がある。例えば、水が噴出される場合、水導出部に落下することで水導出部にて水が分散して着水した状態となり、水導出部を流れる水の厚みが薄くなりやすい。流れる水の厚みが薄いことで、水の流れが途切れやすくなり、途切れた水が取り残され、水導出部に残水を生じさせやすくなる。残水はバイオフィルムが形成される原因になり得る。
【０００５】
そこで、本発明は、水溜め部に水が残りにくいトイレ空間用脱臭装置を提供する。
【課題を解決するための手段】
【０００６】
第１の発明のトイレ空間用脱臭装置は、吸気口を形成する吸気部と、排気口を形成する排気部と、前記吸気口から空気を吸気するファン装置と、排水口を形成する排水部と、前記吸気口と前記排気口とを連通し空気を流通させる脱臭風路中に設けられ、前記脱臭風路中で水を溜めることが可能な水溜め部であって、前記排水口に向かう第１の方向に沿って下り傾斜した底面を有する水溜め部と、前記水溜め部へ給水する給水部と、前記水溜め部に溜めた水を前記第１の方向に交差する方向に誘引しつつ、前記排水口に排水する誘引排水手段と、を備えている。
第１の発明によれば、誘引排水手段によって水を集約しつつ排水でき、この集約された水は流れが途切れることを抑制されつつ排水口に向かって流れる。これにより、水が途切れることを抑制でき、水溜め部の底面上に水が残ることを抑制できる。これにより、水溜め部の底面におけるバイオフィルムの形成を抑制できる。
第２の発明は、第１の発明において、前記誘引排水手段は、前記水溜め部の前記底面にて上下方向に延びる壁面である。
第２の発明によれば、簡易な構造にて水溜め部の底面上の残水の抑制が可能となる。
第３の発明は、第２の発明において、前記壁面は、前記第１の方向に延びる。
第３の発明によれば、壁面が第１の方向に延びる構成は、第１の方向に交差する方向に延びる構成に比べて、壁面に集約した水を排水口に向けて排水しやすくできる。
第４の発明は、第３の発明において、前記水溜め部の前記底面は、前記壁面に向かって下り傾斜している。
第４の発明によれば、壁面に、水をより集約させやすい。
第５の発明は、第３又は第４の発明において、前記水溜め部に負圧を形成する負圧形成手段と、前記負圧形成手段の駆動を制御する制御部と、をさらに備え、前記制御部は、前記負圧形成手段を駆動させ、この駆動により形成される負圧によって前記水溜め部に流れ込む空気を、水に押し当てることで、前記給水部から給水される水を前記水溜め部に溜め、前記負圧形成手段の停止によって、前記水溜め部に溜めた水を前記排水口から排水させ、前記壁面は、前記水溜め部の前記底面から上方へ突出するリブを形成する。
第５の発明によれば、凹部（溝）はリブに比べて排水性が高くなる傾向があるため、負圧で水溜め部の貯水を保持する構成においては、リブの方が凹部（溝）よりも、貯水の保持と誘引排水との両立が容易になる。
第６の発明は、第２〜第５の発明のいずれか１つにおいて、前記誘引排水手段は、前記排水口の底面側の一部に、前記水溜め部の前記底面の前記第１の方向に沿った下り傾斜とは逆勾配の面を形成する。
第６の発明によれば、排水口の底面側の一部に形成した逆勾配の面によって、水溜め部の底面に設けた壁面から離れた領域を流れる水がそのまま第１の方向に沿って排水口から排水されてしまうのを抑制し、壁面に水が誘引されるのを助長する。このため、水がより壁面に集約されやすくなる。
【発明の効果】
【０００７】
本発明のトイレ空間用脱臭装置によれば、水溜め部に水が残りにくくできる。
【図面の簡単な説明】
【０００８】
【図１】実施形態のトイレ装置の斜視図である。
【図２】第１実施形態の水脱臭ユニットの斜視図である。
【図３】図２の水脱臭ユニットからカバーを外した状態の斜視図である。
【図４】第１実施形態の水脱臭ユニットの断面図である。
【図５】第１実施形態の水脱臭ユニットにおける水溜め動作時の模式断面図である。
【図６】第１実施形態の水脱臭ユニットにおける排水動作時の模式断面図である。
【図７】（ａ）は第１実施形態の水脱臭ユニットにおける排水作用を説明するための模式平面図であり、（ｂ）は第３実施形態の水脱臭ユニットにおける排水作用を説明するための模式平面図である。
【図８】比較例の水脱臭ユニットにおける排水作用を説明するための模式平面図である。
【図９】第２実施形態の水脱臭ユニットの排水口側の正面図である。
【図１０】第３実施形態の水脱臭ユニットの排水口付近の拡大斜視図である。
【図１１】第３実施形態の水脱臭ユニットの断面図である。
【発明を実施するための形態】
【０００９】
以下、添付図面を参照しながら本発明の実施の形態の１つについて説明する。説明の理解を容易にするため、各図面において同一の構成要素に対しては可能な限り同一の符号を付して、重複する説明は省略する。
【００１０】
図１は、実施形態のトイレ装置１の斜視図である。
【００１１】
図１に示すように、トイレ空間に設置されるトイレ装置１は、腰掛大便器（以下、単に便器と称する）１００と、便器１００の上に設置された衛生洗浄装置２００とを有する。便器１００は、上方に向けて開口され水が溜められたボウル部１０１を有する。ボウル部１０１は操作部（図示せず）を使用者が操作することで洗浄水により洗浄され、排水配管（図示せず）へと洗浄水を排水する。衛生洗浄装置２００は、便器１００に腰掛けた使用者のおしりなどの局部の洗浄を実現する局部洗浄機能部などを有する。なお、図１においては、局部洗浄機能部に含まれるノズル等を図示せず省略している。
【００１２】
また、衛生洗浄装置２００は、トイレ空間用脱臭装置（以下、単に脱臭装置と称する）１０を有する。脱臭装置１０は、水脱臭ユニット２０と、制御部９０とを有する。
【００１３】
図２は、第１実施形態の水脱臭ユニット２０の斜視図である。
図３は、図２の水脱臭ユニット２０からカバー２２を外した状態の斜視図である。
図４は、水脱臭ユニット２０の断面図である。
【００１４】
図２〜図４に示すように、水脱臭ユニット２０は、ケース２１と、カバー２２とを有する。ケース２１とカバー２２との間の空間に、水脱臭部４０、ファン装置６０、および酸化触媒７０が設けられている。
【００１５】
ファン装置６０の駆動により、ケース２１とカバー２２との間の空間内を空気が流れる。この空気が流れる風路（脱臭風路）８０の一端部に吸気口部１２３が設けられ、他端部に排気口部１２４が設けられている。吸気口部１２３は吸気口２３を形成し、排気口部１２４は排気口２４を形成する。脱臭風路８０は吸気口２３と排気口２４とを連通する。また、後述するように、吸気口２３は排水口２５を兼ねている。脱臭風路８０において吸気口２３および排気口２４以外の領域は、ケース２１およびカバー２２によって覆われている。
【００１６】
吸気口２３は脱臭風路８０の最上流に位置し、排気口２４は脱臭風路８０の最下流に位置する。ファン装置６０は、水脱臭部４０よりも、脱臭風路８０における下流側に配置されている。酸化触媒７０は、ファン装置６０よりも、脱臭風路８０における下流側に配置されている。吸気口２３と排気口２４との間に、吸気口２３側から順に、水脱臭部４０、ファン装置６０、および酸化触媒７０が配置されている。
【００１７】
水脱臭部４０は、水溜め部５０を有する。水溜め部５０は、吸気口２３とファン装置６０との間に位置する。水脱臭ユニット２０が図１に示す便器１００の上に設置された状態において、吸気口２３はボウル部１０１に向けて開口する。ファン装置６０の駆動により、吸気口２３から水溜め部５０に空気が吸気される。
【００１８】
例えば、ケース２１の内側の側面における排水口２５の近傍に給水部２７が設けられている。図４に示すように、給水部２７は、例えば給水口２７ａを有する給水ノズルである。水脱臭ユニット２０が図１に示す便器１００の上に設置された状態において、給水部２７は、水溜め部５０の外部に位置し、ボウル部１０１の開口の上方に位置する。図４に示すように、排水口２５は、水溜め部５０と給水部２７との間に位置する。給水部２７は、排水口２５を挟んで水溜め部５０と逆側の位置、かつ給水部２７から水溜め部５０に給水可能な位置に設けられる。
【００１９】
給水部２７の給水口２７ａは排水口２５に向けられている。その給水口２７ａから排水口２５を通じて水溜め部５０に向けて水が給水され、水溜め部５０はその水を溜めることが可能となっている。
【００２０】
水溜め部５０に溜められた水は、排水口２５を形成する排水部１２５から排水される。本実施形態では、吸気口２３が排水口２５を兼ねている。排水口２５は、排水受け部であるボウル部１０１に向けて開口し、水溜め部５０に溜められた水は排水口２５からボウル部１０１へ排水される。
【００２１】
水溜め部５０においてファン装置６０側に水受け壁４１が設けられている。水受け壁４１は、水溜め部５０の底面から脱臭風路８０内へ向けて突出している。水受け壁４１の上端と、カバー２２との間には、水溜め部５０からファン装置６０側への空気の流通を許容する空間が形成されている。
【００２２】
水溜め部５０は、排水口２５に向かう第１の方向Ａ（図３に示す）に沿って下り傾斜した底面５１を有する。底面５１は、水受け壁４１から排水口２５に向かって一定の傾きの下り勾配をもつ。または、底面５１は、異なる傾斜角度の複数の下り傾斜面を組み合わせて構成されてもよい。また、底面５１は、曲面を含んでいてもよい。
【００２３】
図４に示すように、排水口２５より外側にも、水溜め部５０の底面５１から続く下り傾斜の傾斜面５２が形成されている。傾斜面５２の傾きは、水溜め部５０の底面５１の傾きよりも大きい。
【００２４】
水溜め部５０の底面５１に、水溜め部５０に溜めた水を第１の方向Ａに交差する方向に誘引しつつ、排水口２５に排水する誘引排水手段が設けられている。誘引排水手段は、水溜め部５０の底面５１にて上下方向に延びる。本実施形態では、誘引排水手段として、水溜め部５０の底面５１から上方へ突出する第１リブ３１が設けられている。第１リブ３１は第１の方向Ａに延び、第１リブ３１は第１の方向Ａに延びる一対の壁面３１ａを有する。第１リブ３１の第１の方向Ａの長さは、第１の方向Ａに直交する方向の長さよりも長い。
【００２５】
第１リブ３１の一端は水受け壁４１に接し、他端は傾斜面５２上に位置する。第１リブ３１の上端は、水受け壁４１の上端よりも低い位置にある。第１リブ３１は、水溜め部５０の底面５１を、例えば、第１の方向Ａに直交する第２の方向に二等分する位置に設けられている。
【００２６】
次に、本実施形態の脱臭装置１０の動作について説明する。
【００２７】
図１に示す便器１００への使用者の着座が検知されると、制御部９０の制御により、ファン装置６０が駆動され、給水部２７から水溜め部５０へ水が給水される。例えば、ファン装置６０の駆動と、給水部２７からの給水は同時に開始される。または、ファン装置６０の駆動タイミングと、給水タイミングにはタイムラグがあってもよい。制御部９０は、ファン装置６０の駆動開始および停止、ならびに給水部２７からの水の給水開始および停止を制御する。駆動されたファン装置６０は、吸気口２３から脱臭風路８０内に空気を吸気する。
【００２８】
図５は、本実施形態における水溜め動作時の模式断面図である。
【００２９】
図５において、脱臭風路８０内の空気の流れを黒太線の矢印で表す。吸気口２３から吸気された空気は、水溜め部５０の空間を流れてファン装置６０に吸い込まれ、さらにファン装置６０からはき出された空気は酸化触媒７０を通過して排気口２４から排気される。
【００３０】
大気圧下の空気が吸気口２３から脱臭風路８０内に吸い込まれる。すなわち、ファン装置６０は、脱臭風路８０に負圧を発生させる負圧形成手段として機能する。水溜め部５０の底面５１は、排水口２５へ向けて下り傾斜を形成しているため、水溜め部５０に給水された水は水溜め部５０の底面５１を排水口２５に向かって流れ得る。
【００３１】
しかしながら、ファン装置６０が駆動された状態においては、水溜め部５０に発生した負圧によって、水の排水方向に逆らう方向に流れる空気を水に押し当て、給水部２７から給水された水を水溜め部５０に溜めることができる。空気に押された水Ｗは、水受け壁４１に堰き止められ、脱臭風路８０における下流側への移動が阻止される。給水部２７からの水の給水は所定時間後に停止される。
【００３２】
吸気口２３から吸気され臭気成分を含んだ空気は、水溜め部５０に溜められた水Ｗの水面に沿うように流れ、水溜め部５０に溜められた水Ｗの水面が脱臭風路８０の一部を形成する。そして、臭気成分の内、アンモニアやトリメチルアミンなどの水溶性の高い臭気成分が水溜め部５０に溜められた水Ｗに溶解し、脱臭される。
【００３３】
脱臭風路８０中をさらに下流側に流れた空気中における、水Ｗに溶解しなかった硫化水素やメチルメルカプタンなどの臭気成分は、酸化触媒７０により脱臭される。酸化触媒７０は、硫化水素、メチルメルカプタンを酸化し分解する。
【００３４】
このように本実施形態によれば、水脱臭部４０で、水溶性の高いアンモニアやトリメチルアミンを脱臭でき、さらに、酸化触媒７０で、アンモニアやトリメチルアミンに比べて水に溶解しにくい硫化水素やメチルメルカプタンを脱臭することができる。脱臭された空気は、排気口２４から排気される。
【００３５】
また、吸気口２３から空気と一緒に吸い込まれた埃や紙片等の粉塵を、水溜め部５０に溜められた水Ｗで捕捉することができ、酸化触媒７０に粉塵が流れることによる酸化触媒７０の性能低下を抑制することができる。さらに、ファン装置６０も、水溜め部５０よりも脱臭風路８０の下流側に配置されているため、粉塵がファン装置６０へ到達してしまうことも抑制できる。また、通常、脱臭装置の吸気口には、粉塵を補足するためのメッシュフィルタが設けられるが、本実施形態においては、水溜め部５０により粉塵を補足することができ、メッシュフィルタを設けなくともよい。そのため、本実施形態においては、メッシュフィルタをメンテナンスする手間をなくすことができる。
【００３６】
また、１つのファン装置６０を用いた１つの脱臭風路８０中に水脱臭部４０と酸化触媒７０を配置した簡易な構成により、水溶性の高い臭気成分と、それら臭気成分より水溶性は低いが酸化分解性の高い臭気成分の両方を効果的に脱臭することができる。大型化および複雑化の抑止と脱臭性能とを両立することができる。
【００３７】
また、空気の流れを伴う負圧の形成によって水溜め部５０に水Ｗを溜め、その水Ｗの水面が脱臭風路８０の一部を形成し、水Ｗの水面に沿って臭気成分を含む空気が流れる。このような構成は、例えば負圧の形成によって水を溜めるのではなく、あらかじめタンクに水を蓄えておき、蓄えた水の表面に空気を接触させる構成より、水面に接触する空気の量を多くでき、臭気成分の水への溶解効率を向上させることができる。従って、本実施形態は、大型化および複雑化の抑止と、脱臭性能とを両立させる。
【００３８】
図６は、本実施形態における排水動作時の模式断面図である。
【００３９】
使用者が便器１００から離座し、離座に基づいてファン装置６０の駆動が停止される。ファン装置６０の停止により、水溜め部５０は大気圧に戻り、水Ｗを溜まった状態に保持していた力が解除される。そして、水溜め部５０の底面５１は、排水口２５に向かって下り傾斜しているため、水溜め部５０に溜まっていた水Ｗは、図６に示すように、排水口２５から便器１００のボウル部１０１（図１に示す）に排水される。また、水溜め部５０に溜められた水Ｗに捕捉された粉塵なども水Ｗとともに排水される。
【００４０】
図８は、比較例における排水作用を説明するための模式平面図である。
【００４１】
この比較例においては、水溜め部５０の底面５１に誘引排水手段にあたる凹凸構造などは設けられていないため、水は底面５１の下り傾斜に沿った第１の方向Ａへの流れが妨げられることなく（流れる方向が変えられることなく）、排水口２５に向かって流れる。このとき、水が表面張力で凝集する力に打ち勝って一部の水が速く流れてしまうと、水が薄くなり途切れて、底面５１上に島状に残る残水が生じやすくなる。この底面５１上の残水は、バイオフィルムが形成される原因になり得る。
【００４２】
図７（ａ）は、上述した第１実施形態における排水作用を説明するための模式平面図である。
【００４３】
第１実施形態においては、底面５１上に第１リブ３１を設けている。この第１リブ３１は、水溜め部５０に溜めた水を、底面５１上において第１の方向Ａに交差する方向に誘引しつつ、排水口２５に向けて排水する誘引排水手段として機能する。
【００４４】
すなわち、底面５１上において水の流れが第１リブ３１の一対の壁面３１ａに引き寄せられるコアンダ効果によって、水が第１リブ３１の壁面３１ａでの水の流れに凝集する。壁面３１ａでの水の流れは底面５１をそのまま流れるよりも遅くなるため、他の領域で流れに取り残されそうになる水が壁面３１ａに凝集することができる。この壁面３１ａに凝集して集約された水は、流れが途切れることを抑制されつつ排水口２５に向かって流れる。これにより、水が薄くなって途切れることを抑制でき、底面５１上に島状に水が残ることを抑制できる。これは、底面５１におけるバイオフィルムの形成を抑制する。
【００４５】
誘引排水手段として、水溜め部５０の底面５１にて上下方向に延びる壁面３１ａを形成することで、簡易な構造にて底面５１上の島状の残水の抑制が可能となる。
【００４６】
リブのような凸部の他に、例えば凹部（溝）を底面５１に形成することによっても、底面５１にて上下方向に延びる壁面を形成することができる。１つの凹部（溝）に対して、排水は１箇所（凹部内）に集約されるが、一方で、上記第１リブ３１のような凸部の場合、２箇所（第１リブ３１の一対の壁面３１ａの夫々）に排水を集約することができる。
【００４７】
凹部（溝）内に集約された水は凹部（溝）に沿う方向以外の方向への流れが規制され、凸部の壁面に集約された水に比べて凹部（溝）に沿って排水口に向けて流れやすく排水性が高くなる傾向がある。そのため、上述したように負圧で水溜め部５０の貯水を保持する構成においては、第１リブ３１のような凸部の方が凹部（溝）よりも、貯水の保持と誘引排水との両立が容易になる。
【００４８】
また、水溜め部５０の底面５１にて上下方向に延びる壁面（第１リブ３１の壁面３１ａ）は、第１の方向Ａに交差する方向に延びる構成であってもよい。なお、上記実施形態のように、第１リブ３１が第１の方向Ａに延びる構成は、第１の方向Ａに交差する方向に延びる構成に比べて、第１リブ３１の壁面３１ａに集約した水を確実に排水口２５に向けて排水しやすくできる。
【００４９】
また、排水機構として可動部材、例えば電磁弁を用いた場合、電磁弁の固着により開弁不良が生じ排水できなくなる懸念があるが、本実施形態では、そのような排水機構を設けずに、ファン装置６０による負圧の形成を停止するだけで排水できる。簡単な構成で水溜め部５０から水を排水して、水溜め部５０に残る水を少なくすることができ、残った水に起因するバイオフィルムの形成を抑制することができる。
【００５０】
図９は、第２実施形態の水脱臭ユニットにおける排水口２５側の正面図である。
【００５１】
第１実施形態の水溜め部５０の底面５１は、第１の方向Ａに直交する第２の方向において勾配をもたずに、平坦である。これに対して、第２実施形態における水溜め部５０の底面５１は、第２の方向にも勾配が形成され、図９に示すように、ケース２１の側面から第１リブ３１の壁面３１ａに向かって下り傾斜している。このため、第１リブ３１の壁面３１ａに、水をより集約させやすい。
【００５２】
図１０は、第３実施形態の水脱臭ユニットにおける排水口２５付近の拡大斜視図である。図１１は、第３実施形態の水脱臭ユニットの断面図である。
【００５３】
第３実施形態においては、誘引排水手段として、第１リブ３１に加えてさらに第２リブ３２が設けられている。第２リブ３２は、排水口２５の底面側の一部に堰のように設けられている。第２リブ３２は、水溜め部５０の底面５１と鈍角を形成して底面５１に連続する上面３２ａを有する。第２リブ３２の上面３２ａは、水溜め部５０の底面５１の第１の方向Ａに沿った下り勾配とは逆の勾配をもつ。または、第２リブ３２の上面３２ａは、水平面であってもよい。
【００５４】
図１０に示すように、一対の第２リブ３２が、第１リブ３１を前述した第２の方向に挟む位置に設けられ、それぞれの第２リブ３２は第２の方向に沿って延びている。第２リブ３２は第１リブ３１から離間している。そのため、第１リブ３１の壁面３１ａに集約されつつ第１リブ３１に沿って流れる水の排水口２５からの排水は、第２のリブ３２によって阻害されない。
【００５５】
図７（ｂ）は、第３実施形態における排水作用を説明するための模式平面図である。
【００５６】
第２リブ３２は、第１リブ３１から離れた領域を流れる水がそのまま第１の方向Ａに沿って排水口２５から排水されてしまうのを抑制し、第１リブ３１の壁面３１ａに水が誘引されるのを助長する。このため、水がより第１リブ３１の壁面３１ａに集約されやすくなる。これにより、底面５１上で水が途切れることによる島状の残水をより抑制できる。
【００５７】
１本の第１リブ３１に限らず、複数本の第１リブ３１を水溜め部５０の底面５１上に設けてもよい。また、第１の方向Ａに沿って延びる第１リブ３１は途中で途切れていてもよい。または、リブではなく、第１の方向Ａに沿って延びず、柱状の凸部を誘引排水手段として水溜め部５０の底面５１上に設けてもよい。
【００５８】
以上説明した実施形態では、脱臭装置１０を衛生洗浄装置２００に設けた例を説明したが、本発明による脱臭装置は、大便器および小便器の少なくともいずれかを含むトイレ空間に設けられればよく、脱臭装置１０は例えば小便器に設けてもよい。
【００５９】
また、本発明は、ファン装置６０の空気吸引によって水溜め部５０に負圧を形成することに限らず、例えばポンプの空気吸引によって水溜め部５０に負圧を形成してもよい。
【００６０】
また、本発明は、吸気口２３が排水口２５も兼ねる構成に限らず、吸気口２３と排水口２５をそれぞれ別の構成要素として設けてもよい。
【００６１】
以上、具体例を参照しつつ本発明の実施形態について説明した。しかし、本発明は、それらに限定されるものではなく、本発明の技術的思想に基づいて種々の変形が可能である。
【符号の説明】
【００６２】
１…トイレ装置、１０…脱臭装置、２０…水脱臭ユニット、２３…吸気口、２４…排気口、２５…排水口、２７…給水部、３１…第１リブ、３２…第２リブ、４０…水脱臭部、５０…水溜め部、６０…ファン装置、７０…酸化触媒、８０…脱臭風路、９０…制御部、１００…便器、１０１…ボウル部、２００…衛生洗浄装置
【図１】
2020063622.tif 000003
【図２】
2020063622.tif 000004
【図３】
2020063622.tif 000005
【図４】
2020063622.tif 000006
【図５】
2020063622.tif 000007
【図６】
2020063622.tif 000008
【図７】
2020063622.tif 000009
【図８】
2020063622.tif 000010
【図９】
2020063622.tif 000011
【図１０】
2020063622.tif 000012
【図１１】
2020063622.tif 000013